(57)【特許請求の範囲】
【請求項１】
光源からの出射光を光記録媒体に収束させる対物レンズと、該対物レンズが載置される筒状のレンズ保持部を備えたレンズホルダと、前記レンズ保持部上に載置された前記対物レンズの上に重ねられたリング状のレンズキャップとを有する光ヘッド装置において、
前記レンズキャップの下面には、前記対物レンズの外周端面に当接する複数の位置決め突起が周方向に間欠的に形成され、
前記レンズキャップの外周部分および前記対物レンズの外周端面は、前記レンズキャップにおいて前記位置決め突起の間に塗布された接着剤によって前記レンズ保持部に接着固定されていることを特徴とする光ヘッド装置。
【請求項２】
請求項１において、前記レンズキャップの下面のうち、前記接着剤が塗布された領域は、突起の形成されていない平坦領域、あるいは前記位置決め突起よりも低い突起が形成された領域になっていることを特徴とする光ヘッド装置。
【請求項３】
請求項１または２において、前記位置決め突起は、前記レンズキャップの中心に対して点対称位置に形成されていることを特徴とする光ヘッド装置。
【請求項４】
請求項１ないし３のいずれかにおいて、前記レンズキャップには、前記位置決め突起の形成位置を示す指標が形成されていることを特徴とする光ヘッド装置。
【請求項５】
請求項４において、前記指標は、前記位置決め突起が形成されている位置で前記レンズキャップから外周側に張り出した張り出し部であることを特徴とする光ヘッド装置。
【発明の詳細な説明】
【０００１】
【発明の属する技術分野】
本発明は、ＣＤ、ＣＤ−Ｒ、ＤＶＤなどの光記録媒体の記録、再生に用いられる光ヘッド装置に関するものである。
【０００２】
【従来の技術】
ＣＤ、ＣＤ−Ｒ、ＤＶＤ等の光記録媒体の記録、再生に用いられる光ヘッド装置では、光源からの出射光を導光系を介して対物レンズに導き、この対物レンズによって収束させた光を光記録媒体に収束させる。この際に、対物レンズのトラッキング方向およびフォーカシング方向への駆動は、レンズ駆動装置によって行われる。また、光記録媒体からの戻り光については、やはり導光系を介して受光素子に導くようになっている。
【０００３】
このような動作を行う際、対物レンズと光記録媒体との間隔が極めて狭い場合には、外部から加わった衝撃などによって対物レンズと光記録媒体とが直接、接触し、対物レンズあるいは光記録媒体が損傷してしまうことがある。そこで、光ヘッド装置では、図９および図１０に示すように、対物レンズにレンズキャップを被せた構成になっている。
【０００４】
図９（Ａ）、（Ｂ）はそれぞれ、従来の光ヘッド装置において、フレームのレンズ保持部に対する対物レンズ並びにレンズキャップの取り付け構造を示す分解斜視図、およびレンズキャップを斜め下方からみたときの斜視図である。図１０（Ａ）、（Ｂ）、（Ｃ）はそれぞれ、従来の光ヘッド装置に用いたレンズキャップの底面図、このレンズキャップを対物レンズとともにレンズ保持部に搭載した状態を図１０（Ａ）のＡ０−Ａ０′線に相当する位置（接着剤の塗布領域を通る位置）で切断したときの断面図、およびレンズキャップを対物レンズとともにレンズ保持部に搭載した状態を図１０（Ａ）のＢ０−Ｂ０′線に相当する位置（接着剤を塗布しない領域を通る位置）で切断したときの断面図である。
【０００５】
すなわち、図９（Ａ）、（Ｂ）、および図１０（Ａ）、（Ｂ）、（Ｃ）に示すように、レンズホルダ７１に形成されている筒状のレンズ保持部７４に対物レンズ８を載置した後、この対物レンズ８の上に、可撓性材料からなるリング状のレンズキャップ１５Ａを重ね、この状態で、レンズ保持部７４において突起７６が形成されている４箇所において、レンズキャップ１５Ａの外周部分および対物レンズ８の外周端面に接着剤１６を塗布して、レンズキャップ１５Ａおよび対物レンズ８をレンズ保持部７４に接着固定している。
【０００６】
ここで、レンズキャップ１５Ａの下面には、対物レンズ８の外周端面に当接してレンズキャップ１５Ａと対物レンズ８との位置決めを行う位置決め突起１５１Ａが全周にわたって環状に形成されているが、対物レンズ８の上にレンズキャップ１５Ａを重ねても、レンズキャップ１５Ａの位置決め突起１５１Ａの下端部とレンズ保持部７４の上面との隙間からは対物レンズ８の外周端面が露出している。従って、レンズキャップ１５Ａの外周部分とレンズ保持部７４との間に接着剤１６を塗布する際、レンズキャップ１５Ａとレンズ保持部７４との隙間から対物レンズ８の外周端面にも接着剤１６を塗布すれば、レンズキャップ１５Ａおよび対物レンズ８の双方をレンズ保持部７４に同時に接着固定することができる。
【０００７】
【発明が解決しようとする課題】
光ヘッド装置においてＣＤ−Ｒに情報を書き込む際には、大きなレーザパワーが必要であることから、ＮＡ値の大きな対物レンズ８が用いられる傾向にあるが、このような対物レンズ８ではフランジ部８０が薄い傾向にある。従って、対物レンズ８の上にレンズキャップ１５Ａを重ねると、レンズキャップ１５Ａの位置決め突起１５１Ａとレンズ保持部７４との隙間が狭くなってしまい、レンズキャップ１５Ａの位置決め用突起１５１Ａとレンズ保持部７４との隙間から対物レンズ８の外周端面に接着剤１６を塗布することができなくなってしまう。それ故、従来の構成のままでは、レンズキャップ１５Ａおよび対物レンズ８をレンズ保持部７４に同時に接着固定することができなくなるという問題点がある。
【０００８】
以上の問題点に鑑みて、本発明の課題は、対物レンズを薄型化しても、レンズキャップおよび対物レンズをレンズ保持部に同時に接着固定することのできる光ヘッド装置を提供することにある。
【０００９】
【課題を解決するための手段】
上記課題を解決するため、本発明では、光源からの出射光を光記録媒体に収束させる対物レンズと、該対物レンズが載置される筒状のレンズ保持部を備えたレンズホルダと、前記レンズ保持部上に載置された前記対物レンズの上に重ねられるリング状のレンズキャップとを有する光ヘッド装置において、前記レンズキャップの下面には、前記対物レンズの外周端面に当接する複数の位置決め突起が周方向に間欠的に形成され、前記レンズキャップの外周部分および前記対物レンズの外周端面は、前記レンズキャップにおいて前記位置決め突起の間に塗布された接着剤によって前記レンズ保持部に接着固定されていることを特徴とする。
【００１０】
本発明において、レンズキャップの下面では複数の位置決め突起が周方向に間欠的に形成されているので、対物レンズの外周部分が薄くても、対物レンズの上にレンズキャップを重ねた状態において、隣接する位置決め突起の間では、レンズキャップの位置決め突起とレンズ保持部との隙間から対物レンズの外周端面が露出している。従って、レンズ保持部の上に対物レンズおよびレンズキャップを重ねた状態においてレンズキャップの外周部分とレンズ保持部との間に接着剤を塗布する際、レンズキャップの外周部分とレンズ保持部との間から対物レンズの外周端面に向けても接着剤を塗布することができる。それ故、レンズキャップの外周部分および対物レンズの外周端面の双方を同時にレンズ保持部に接着固定することができる。
【００１１】
本発明において、前記レンズキャップの下面のうち、前記接着剤が塗布された領域が、突起の形成されていない平坦領域になっている構成、あるいは前記位置決め突起よりも低い突起が形成された領域になっている構成のいずれであってもよい。
【００１２】
本発明において、前記位置決め突起は、前記レンズキャップの中心に対して点対称位置に形成されていることが好ましい。このように構成すると、レンズキャップの外周部分および対物レンズの外周端面をレンズ保持部に接着固定するための接着剤の塗布位置も点対称位置となる。従って、対物レンズを接着固定した状態において、レンズ歪みを起こすような応力が対物レンズにかからない。
【００１３】
本発明において、前記レンズキャップには、前記位置決め突起の形成位置を示す指標が形成されていることが好ましい。本発明では、レンズキャップにおいて接着剤を塗布する領域が指定されることになるが、レンズキャップに位置決め突起の形成位置を示す指標を形成しておけば、この指標を目印にしてレンズキャップを所定の向きに配置することができ、かつ、接着剤を塗布する位置も確認しやすい。
【００１４】
本発明において、前記指標は、例えば、前記位置決め突起が形成されている位置で前記レンズキャップから外周側に張り出した張り出し部として構成することができる。このように構成すると、レンズ保持部の上に対物レンズを載置した後、レンズキャップを重ねる際、あるいはレンズキャップを対物レンズの上に重ねた後のいずれにおいて、指標を確認しやすいという利点がある。
【００１５】
【発明の実施の形態】
以下に図面を参照して本発明を適用した光ヘッド装置を説明する。
【００１６】
［実施の形態１］
図１は、ＣＤ、ＣＤ−Ｒ、およびＤＶＤの記録再生を行う光ヘッド装置の要部の平面図である。図２（Ａ）、（Ｂ）はそれぞれ、光ヘッド装置のレンズホルダの側面図、およびこのレンズホルダに形成されているレンズ保持部の断面図である。図３（Ａ）、（Ｂ）はそれぞれ、本発明の実施の形態１に係る光ヘッド装置において、フレームのレンズ保持部に対する対物レンズ並びにレンズキャップの取り付け構造を示す分解斜視図、およびレンズキャップを斜め下方からみたときの斜視図である。図４（Ａ）、（Ｂ）、（Ｃ）はそれぞれ、本発明の実施の形態１に係る光ヘッド装置に用いたレンズキャップの底面図、このレンズキャップを対物レンズとともにレンズ保持部に搭載した状態を図４（Ａ）のＡ１−Ａ１′線に相当する位置（接着剤の塗布領域を通る位置）で切断したときの断面図、およびレンズキャップを対物レンズとともにレンズ保持部に搭載した状態を図４（Ａ）のＢ１−Ｂ１′線に相当する位置（接着剤を塗布しない領域を通る位置）で切断したときの断面図である。
【００１７】
（全体構成）
図１に示すように、光ヘッド装置１は、樹脂製または金属製のフレーム３を有しており、このフレーム３は、機器に対して相互に平行となるように取り付けた２本のガイドシャフト２Ａ、２Ｂが連結部３０１、３０２、３０３に通されていることにより、ガイドシャフト２Ａ、２Ｂに沿って移動可能である。このフレーム３上には、以下に説明する光学系が構成されている。
【００１８】
光ヘッド装置１の光学系は、第１のレーザ光Ｌ１を出射するＤＶＤ用のレーザダイオード４と、第２のレーザ光Ｌ２を出射するＣＤ用のレーザダイオード５とを備え、各レーザダイオード４、５から出射された第１および第２のレーザ光Ｌ１、Ｌ２を共通光路６に導き、この共通光路６を利用してＣＤ、ＣＤ−Ｒ、およびＤＶＤの全ての記録、再生を行うことができるようになっている。
【００１９】
共通光路６は、フレーム３上に搭載された受光素子１１、センサレンズ１０、導光系２０、コリメートレンズ７、および立ち上げミラー９と、立ち上げミラー９の上方に配列された対物レンズ８とによって規定されている。
【００２０】
ＤＶＤ用レーザダイオード４はＤＶＤの記録再生用であり、波長６５０ｎｍあるいは６３５ｎｍの第１のレーザ光Ｌ１を出射する。一方、ＣＤ用レーザダイオード５は、ＣＤおよびＣＤ−Ｒの記録、再生用であり、波長７８０〜８００ｎｍの第２のレーザ光Ｌ２を出射する。レーザダイオード４、５は、共通光路６の導光系２０の同一の側において、相互の光軸Ｌ１０、Ｌ２０が平行となるように配列されている。
【００２１】
ＤＶＤ用レーザダイオード４から出射された第１のレーザ光Ｌ１は直接、導光系２０に入射する。一方、ＣＤ用レーザダイオード５から出射された第２のレーザ光Ｌ２は、回折格子１２を介して導光系２０に入射する。回折格子１２は、所定の回折特性が付与されており、ＣＤ用レーザダイオード５から出射された第２のレーザ光Ｌ２を３ビームに分割する。
【００２２】
導光系２０は、部分反射面を備えたハーフミラー２１と、部分反射面を備えたプリズム２２とから構成されている。ハーフミラー２１は、その部分反射面がレーザダイオード４から出射された第１のレーザ光Ｌ１の光軸Ｌ１０に対して４５度傾斜した状態となるように配置されている。プリズム２２は、その部分反射面がレーザダイオード５から出射された第２のレーザ光Ｌ２の光軸Ｌ２０に対して４５度傾斜した状態となるように配置されている。
【００２３】
このように構成した本例の光ヘッド装置１において、ハーフミラー２１に入射するＤＶＤ用の第１のレーザ光Ｌ１は、ハーフミラー２１の部分反射面によってほぼ半分の光成分が反射され、反射光は、その光軸が９０度折り曲げられてプリズム２２の部分反射面に入射する。そして、この部分反射面に入射したレーザ光Ｌ１の大部分はそのまま透過して立ち上げミラー９に向かう。一方、プリズム２２に入射するＣＤ用の第２のレーザ光Ｌ２は、プリズム２２の部分反射面によってほぼ半分の光成分が反射され、その光軸が９０度折り曲げられて立ち上げミラー９に入射する。このようにハーフミラー２１およびプリズム２２で構成される導光系２０によって第１および第２のレーザ光Ｌ１、Ｌ２が共に共通光路６に導かれる。
【００２４】
導光系２０によって共通光路６に導かれたＤＶＤ用のレーザ光Ｌ１、およびＣＤ用のレーザ光Ｌ２は、立ち上げミラー９によって直角に反射された後、コリメートレンズ７によって平行光束に変換される。平行光束とされたレーザ光Ｌ１、Ｌ２は、対物レンズ８に導かれ、この対物レンズ８を介して、ＤＶＤ用のレーザ光Ｌ１は光記録媒体であるＤＶＤの記録面に光スポットとして集光する。また、ＣＤ用のレーザ光Ｌ２は光記録媒体であるＣＤあるいはＣＤ−Ｒの記録面に光スポットとして集光する。
【００２５】
光記録媒体で反射したレーザ光Ｌ１、Ｌ２の戻り光は、対物レンズ８、コリメートレンズ７、および立ち上げミラー９を戻り、再び導光系２０に戻る。これらの戻り光のうち、ＤＶＤ用のレーザ光Ｌ１の戻り光は、大部分がプリズム２２の部分反射面をそのまま透過してハーフミラー２１に戻る。そして、ハーフミラー２１の部分反射面を通ってその半分が透過してセンサレンズ１０に入射する。一方、ＣＤ用のレーザ光Ｌ２の戻り光は、プリズム２２の部分反射面を通ってその半分が透過してハーフミラー２１に戻る。そして、ハーフミラー２１の部分反射面をそのまま透過してセンサレンズ１０に入射する。その後、各戻り光は、センサレンズ１０を通って共通の受光素子１１に集光し、検出される。なお、センサレンズ１０は、双方のレーザ光Ｌ１、Ｌ２の戻り光に対して非点収差を発生させるためのレンズである。
【００２６】
このように構成した光ヘッド装置１において、対物レンズ８をフォーカシング方向およびトラッキング方向に駆動する対物レンズ駆動装置７０は、対物レンズ８を保持したレンズホルダ７１を有している。
【００２７】
レンズホルダ７１は、図１および図２（Ａ）に示すように、胴部７２と、この胴部７２の内側に形成された円筒状の軸受け部７３とを備えている。胴部７２の外周面には一対のトラッキング駆動用コイル８１と、一対のフォーカシング駆動用コイル８２が構成されている。また、フレーム３に保持されているホルダ支持部材３５の底壁からは支軸９１が直立し、この支軸９１はレンズホルダ７１の軸受け部７３の内側に差し込まれている。
【００２８】
再び図１において、ホルダ支持部材３５には外壁３５６および内壁３５７が形成され、外壁３５６にはトラッキング用駆動コイル８１と対峙してトラッキング磁気回路を構成する一対のトラッキング用駆動マグネット８３が取り付けられている。従って、レンズホルダ７１を支軸９１の回りに回転させ、トラッキングエラー補正を行うことができる。
【００２９】
また、外壁３５６にはフォーカシング用駆動コイル８２に対峙してフォーカシング磁気回路を構成する一対のフォーカシング用駆動マグネット８４が取り付けられている。従って、レンズホルダ７１を支軸９１の軸線方向に移動させ、フォーカシングエラー補正を行うことができる。
【００３０】
なお、レンズホルダ７１には、ホルダ支持部材３５の切り起こし部３５９に途中位置が支持されたフレキシブル基板７７が接続されている。また、図示を省略するが、ホルダ支持部材３５の上面にはカバーが被せられている。
【００３１】
（対物レンズおよびレンズキャップの取り付け構造）
レンズホルダ７１は、胴部７２から側方に張り出した円筒状のレンズ保持部７４を備えており、このレンズ保持部７４は、図２（Ｂ）および図３（Ａ）に示すように、対物レンズ８のフランジ部８０が載置される段部７５を備えている。
【００３２】
ここで、レンズ保持部７４に載置された対物レンズ８の上には、可撓性材料からなるリング状のレンズキャップ１５が重ねられる。このレンズキャップ１５は、図３（Ａ）、（Ｂ）、および図４（Ａ）に示すように、対物レンズ８のフランジ部８０に重なる円環部１５０と、この円環部１５０の下面から下方に突出して対物レンズ８の外周端面に当接可能な位置決め突起１５１が形成されているが、本形態において、位置決め突起１５１は、周方向に９０°間隔に４つ形成されているだけある。このため、レンズキャップ１５の下面では、隣接し合う位置決め突起１５１の間は、突起が形成されていない平坦領域が９０°間隔に４箇所、形成された構造になっている。
【００３３】
このように構成したレンズキャップ１５を対物レンズ８とともにレンズ保持部７４に取り付けるにあたって、本形態では、図４（Ｂ）、（Ｃ）に示すように、レンズ保持部７４の段部７５に対物レンズ８を載置した後、この対物レンズ８のフランジ部８０上に円環部１５０が重なるようにレンズキャップ１５を対物レンズ８上に重ねる。この際、レンズキャップ１５については、レンズ保持部７４において外周側に張り出す円弧状の突起７６の形成領域の間に位置決め突起１５１が位置する向きとする。
【００３４】
このようにしてレンズキャップ１５を対物レンズ８上に重ねると、対物レンズ８の外周端面にレンズキャップ１５の位置決め突起１５１が当接して、対物レンズ８とレンズキャップ１５とが位置合わせされる。
【００３５】
次に、図４（Ｂ）に示すように、レンズ保持部７４において突起７６が形成されている側からレンズキャップ１５の外周部分および対物レンズ８の外周端面に光硬化性などの接着剤１６を塗布する。
【００３６】
ここで、レンズキャップ１５の下面には複数の位置決め突起１５１が形成されているが、レンズ保持部７４において突起７６が形成されている部分（接着剤１６を塗布する領域）は、レンズキャップ１５において位置決め突起１５１の間に相当する位置であるため、ここには位置決め突起１５１が形成されていない。このため、対物レンズ８のフランジ部８０が薄くても、レンズキャップ１５とレンズ保持部７４の上端面との隙間からは対物レンズ８の外周端面が露出している。従って、レンズキャップ１５の外周部分とレンズ保持部７４との間に接着剤１６を塗布する際、レンズキャップ１５とレンズ保持部７４との間から対物レンズ８の外周端面にも接着剤１６を塗布することができる。それ故、接着剤１６を塗布した後、それを硬化させれば、レンズキャップ１５および対物レンズ８の双方をレンズ保持部７４に同時に接着固定することができる。よって、フランジ部８０が薄い対物レンズ８をリング状のレンズキャップ１５で保護した構造とした場合でも、生産性が低下することがない。
【００３７】
また、位置決め突起１５１は、レンズキャップ１５の中心に対して点対称位置に形成されている。このため、対物レンズ８の周りにおいて接着剤１６の塗布位置も点対称位置となる。従って、対物レンズ８を接着固定した状態において、レンズ歪みを起こすような応力が対物レンズ８にかからない。
【００３８】
［実施の形態２］
図５（Ａ）、（Ｂ）はそれぞれ、本発明の実施の形態２に係る光ヘッド装置において、フレームのレンズ保持部に対する対物レンズ並びにレンズキャップの取り付け構造を示す分解斜視図、およびレンズキャップを斜め下方からみたときの斜視図である。図６（Ａ）、（Ｂ）、（Ｃ）はそれぞれ、本発明の実施の形態２に係る光ヘッド装置に用いたレンズキャップの底面図、このレンズキャップを対物レンズとともにレンズ保持部に搭載した状態を図６（Ａ）のＡ２−Ａ２′線に相当する位置（接着剤の塗布領域を通る位置）で切断したときの断面図、およびレンズキャップを対物レンズとともにレンズ保持部に搭載した状態を図６（Ａ）のＢ２−Ｂ２′線に相当する位置（接着剤を塗布しない領域を通る位置）で切断したときの断面図である。なお、本形態、および後述する実施の形態３は、基本的な構成が実施の形態１と同様であるため、光ヘッド装置の全体構成などの説明を省略し、その要部のみを説明する。
【００３９】
図５（Ａ）、（Ｂ）、および図６（Ａ）に示すように、本形態でも、レンズ保持部７４に載置された対物レンズ８の上には、可撓性材料からなるリング状のレンズキャップ１５が重ねられる。このレンズキャップ１５は、対物レンズ８のフランジ部８０に重なる円環部１５０と、この円環部１５０の下面から下方に突出して対物レンズ８の外周端面に当接可能な位置決め突起１５１が形成されているが、本形態において、位置決め突起１５１は、周方向に９０°間隔に４つ形成されているだけある。但し、実施の形態１と違って、隣接する位置決め突起１５１同士は、位置決め突起１５１よりも低い突起１５２で接続された構造になっている。
【００４０】
このように構成したレンズキャップ１５を対物レンズ８とともにレンズ保持部７４に取り付けるにあたっても、本形態では、図６（Ｂ）、（Ｃ）に示すように、レンズ保持部７４の段部７５に対物レンズ８を載置した後、この対物レンズ８のフランジ部８０上に円環部１５０が重なるようにレンズキャップ１５を対物レンズ８上に重ねる。この際、レンズキャップ１５については、位置決め突起１５１がレンズ保持部７４において突起７６の間に位置する向きとする。このようにしてレンズキャップ１５を対物レンズ８上に重ねると、対物レンズ８の外周端面にレンズキャップ１５の位置決め突起１５１が当接して、対物レンズ８とレンズキャップ１５とが位置合わせされる。ここで、突起１５２については、対物レンズ８の外周端面に当接して対物レンズ８との位置決めに寄与する構成、あるいは位置決めに寄与しない構成のいずれであってもよい。
【００４１】
次に、図６（Ｂ）に示すように、レンズ保持部７４において突起７６が形成されている側からレンズキャップ１５の外周部分および対物レンズ８の外周端面に光硬化性などの接着剤１６を塗布する。
【００４２】
ここで、レンズキャップ１５の下面には複数の位置決め突起１５１が形成されているが、レンズ保持部７４において突起７６が形成されている部分（接着剤１６を塗布する領域）では、レンズキャップ１５の下面に位置決め突起１５１が形成されておらず、低い突起１５２が形成されているだけである。従って、対物レンズ８のフランジ部８０が薄くても、レンズキャップ１５の突起１５２とレンズ保持部７４の上端面との隙間からは対物レンズ８の外周端面が露出している。このため、レンズキャップ１５の外周部分とレンズ保持部７４との間に接着剤１６を塗布する際、レンズキャップ１５とレンズ保持部７４との間から対物レンズ８の外周端面にも接着剤１６を塗布することができる。それ故、レンズキャップ１５および対物レンズ８の双方をレンズ保持部７４に同時に接着固定することができる。
【００４３】
［実施の形態３］
図７（Ａ）、（Ｂ）はそれぞれ、本発明の実施の形態３に係る光ヘッド装置において、フレームのレンズ保持部に対する対物レンズ並びにレンズキャップの取り付け構造を示す分解斜視図、およびレンズキャップを斜め下方からみたときの斜視図である。図８（Ａ）、（Ｂ）、（Ｃ）はそれぞれ、本発明の実施の形態３に係る光ヘッド装置に用いたレンズキャップの底面図、このレンズキャップを対物レンズとともにレンズ保持部に搭載した状態を図８（Ａ）のＡ３−Ａ３′線に相当する位置（接着剤の塗布領域を通る位置）で切断したときの断面図、およびレンズキャップを対物レンズとともにレンズ保持部に搭載した状態を図８（Ａ）のＢ３−Ｂ３′線に相当する位置（接着剤を塗布しない領域を通る位置）で切断したときの断面図である。
【００４４】
図７（Ａ）、（Ｂ）、および図８（Ａ）に示すように、本形態でも、レンズ保持部７４に載置された対物レンズ８の上には、可撓性材料からなるリング状のレンズキャップ１５が重ねられる。このレンズキャップ１５は、対物レンズ８のフランジ部８０に重なる円環部１５０と、この円環部１５０の下面から下方に突出して対物レンズ８の外周端面に当接可能な位置決め突起１５１が形成されているが、本形態において、位置決め突起１５１は、周方向に９０°間隔に４つ形成されているだけある。
【００４５】
さらに本形態では、レンズキャップ１５において、４つの位置決め突起１５１のうち、対向する２つの位置決め突起１５１が形成されている領域からは、位置決め突起１５１の形成位置を示す指標としての張り出し部１５３が円環部１５０から外側に張り出すように形成されている。
【００４６】
このように構成したレンズキャップ１５を対物レンズ８とともにレンズ保持部７４に取り付けるにあたって、本形態では、図８（Ｂ）、（Ｃ）に示すように、レンズ保持部７４の段部７５に対物レンズ８を載置した後、この対物レンズ８のフランジ部８０上に円環部１５０が重なるようにレンズキャップ１５を対物レンズ８上に重ねる。この際、レンズキャップ１５については、指標としての張り出し部１５３が突起７６の間に位置するように配置する。その結果、位置決め突起１５１は、レンズ保持部７４において突起７６の間に位置することになる。このようにしてレンズキャップ１５を対物レンズ８上に重ねると、対物レンズ８の外周端面にレンズキャップ１５の位置決め突起１５１が当接して、対物レンズ８とレンズキャップ１５とが位置合わせされる。
【００４７】
次に、図８（Ｂ）に示すように、レンズ保持部７４において突起７６が形成されている側からレンズキャップ１５の外周部分および対物レンズ８の外周端面に光硬化性などの接着剤１６を塗布する。ここで、対物レンズ８のフランジ部８０が薄くても、レンズキャップ１５とレンズ保持部７４の上端面との間には、対物レンズ８の外周端面に接着剤１６を塗布するのに十分な隙間が形成されているので、レンズキャップ１５とレンズ保持部７４との間から対物レンズ８の外周端面にも接着剤１６を塗布することができる。
【００４８】
また、本形態では、対物レンズ８の上にレンズキャップ１５を配置する際、指標としての張り出し部１５３の位置を確認すればレンズキャップ１５を向きがわかる。従って、本形態のレンズキャップ１５では接着剤１６を塗布する領域が指定されているが、張り出し部１５３を目印にすれば、レンズキャップ１５を容易に所定の向きに配置することができる。しかも、接着剤１６を塗布しない領域に張り出し部１５３を形成したので、張り出し部１５３は、接着剤１６を塗布するのに邪魔にならない。
【００４９】
［その他の実施の形態］
なお、上記形態３では、実施の形態１で説明したものに指標（張り出し部１５３）を設けたが、実施の形態２で説明したものに指標（張り出し部１５３）を設けてもよい。
【００５０】
また、上記形態１、２、３では、位置決め突起１５１を４箇所に設け、指標（張り出し部１５３）を２箇所に設けたが、これらの数や大きさは、対物レンズ８やレンズキャップ１５のサイズなどに合わせて最適なものに設定されるべきであり、限定される性質のものではない。
【００５１】
【発明の効果】
以上説明したように、本発明の光ヘッド装置において、レンズキャップの下面では複数の位置決め突起が周方向に間欠的に形成されているので、対物レンズの外周部分が薄くても、位置決め突起の間では、レンズキャップの位置決め突起とレンズ保持部との隙間から対物レンズの外周端面が露出している。従って、レンズキャップの外周部分とレンズ保持部との間に接着剤を塗布する際、レンズキャップとレンズ保持部との間から対物レンズの外周端面にも接着剤を塗布することができる。それ故、レンズキャップおよび対物レンズの双方をレンズ保持部に同時に接着固定することができる。
【図面の簡単な説明】
【図１】本発明が適用される光ヘッド装置の要部の平面図である。
【図２】（Ａ）、（Ｂ）はそれぞれ、光ヘッド装置のレンズホルダの側面図、およびこのレンズホルダに形成されているレンズ保持部の断面図である。
【図３】（Ａ）、（Ｂ）はそれぞれ、本発明の実施の形態１に係る光ヘッド装置において、フレームのレンズ保持部に対する対物レンズ並びにレンズキャップの取り付け構造を示す分解斜視図、およびレンズキャップを斜め下方からみたときの斜視図である。
【図４】（Ａ）、（Ｂ）、（Ｃ）はそれぞれ、本発明の実施の形態１に係る光ヘッド装置に用いたレンズキャップの底面図、このレンズキャップを対物レンズとともにレンズ保持部に搭載した状態を図４（Ａ）のＡ１−Ａ１′線に相当する位置（接着剤の塗布領域を通る位置）で切断したときの断面図、およびレンズキャップを対物レンズとともにレンズ保持部に搭載した状態を図４（Ａ）のＢ１−Ｂ１′線に相当する位置（接着剤を塗布しない領域を通る位置）で切断したときの断面図である。
【図５】（Ａ）、（Ｂ）はそれぞれ、本発明の実施の形態２に係る光ヘッド装置において、フレームのレンズ保持部に対する対物レンズ並びにレンズキャップの取り付け構造を示す分解斜視図、およびレンズキャップを斜め下方からみたときの斜視図である。
【図６】（Ａ）、（Ｂ）、（Ｃ）はそれぞれ、本発明の実施の形態２に係る光ヘッド装置に用いたレンズキャップの底面図、このレンズキャップを対物レンズとともにレンズ保持部に搭載した状態を図６（Ａ）のＡ２−Ａ２′線に相当する位置（接着剤の塗布領域を通る位置）で切断したときの断面図、およびレンズキャップを対物レンズとともにレンズ保持部に搭載した状態を図６（Ａ）のＢ２−Ｂ２′線に相当する位置（接着剤を塗布しない領域を通る位置）で切断したときの断面図である。
【図７】（Ａ）、（Ｂ）はそれぞれ、本発明の実施の形態３に係る光ヘッド装置において、フレームのレンズ保持部に対する対物レンズ並びにレンズキャップの取り付け構造を示す分解斜視図、およびレンズキャップを斜め下方からみたときの斜視図である。
【図８】（Ａ）、（Ｂ）、（Ｃ）はそれぞれ、本発明の実施の形態３に係る光ヘッド装置に用いたレンズキャップの底面図、このレンズキャップを対物レンズとともにレンズ保持部に搭載した状態を図８（Ａ）のＡ３−Ａ３′線に相当する位置（接着剤の塗布領域を通る位置）で切断したときの断面図、およびレンズキャップを対物レンズとともにレンズ保持部に搭載した状態を図８（Ａ）のＢ３−Ｂ３′線に相当する位置（接着剤を塗布しない領域を通る位置）で切断したときの断面図である。
【図９】（Ａ）、（Ｂ）はそれぞれ、従来の光ヘッド装置において、フレームのレンズ保持部に対する対物レンズ並びにレンズキャップの取り付け構造を示す分解斜視図、およびレンズキャップを斜め下方からみたときの斜視図である。
【図１０】（Ａ）、（Ｂ）、（Ｃ）はそれぞれ、従来の光ヘッド装置に用いたレンズキャップの底面図、このレンズキャップを対物レンズとともにレンズ保持部に搭載した状態を図１０（Ａ）のＡ０−Ａ０′線に相当する位置（接着剤の塗布領域を通る位置）で切断したときの断面図、およびレンズキャップを対物レンズとともにレンズ保持部に搭載した状態を図１０（Ａ）のＢ０−Ｂ０′線に相当する位置（接着剤を塗布しない領域を通る位置）で切断したときの断面図である。
【符号の説明】
１  光ヘッド装置
４  ＤＶＤ用のレーザダイオード（光源）
５  ＣＤ用のレーザダイオード（光源）
８  対物レンズ
１１  受光素子
１５  レンズキャップ
１６  接着剤
３５  ホルダ支持部材
７０  対物レンズ駆動装置
７１  レンズホルダ
７４  レンズ保持部
７５  段部
８０  対物レンズのフランジ部
１５０  円環部
１５１  位置決め突起
１５２  低い突起
１５３  張り出し部（指標）
【図１】
0003782965.tif 000002
【図２】
0003782965.tif 000003
【図３】
0003782965.tif 000004
【図４】
0003782965.tif 000005
【図５】
0003782965.tif 000006
【図６】
0003782965.tif 000007
【図７】
0003782965.tif 000008
【図８】
0003782965.tif 000009
【図９】
0003782965.tif 000010
【図１０】
0003782965.tif 000011